(57)【要約】【課題】収音部の周囲に音響校正器のソケットに嵌挿できる構造がないマイクロフォンを装着する。【解決手段】下部ユニット４２の凹部４２１４に小型マイクロフォン３のマイク部３１を収音孔がある下面を下方を向けて設置し、上部ユニット４１の下部部分４１２を下部ユニット４２に上方より挿入し、上部ユニット４１と下部ユニット４２を連結する。この状態で、凹部４２１４に載置されたマイク部３１は、上部ユニット４１により押圧され、マイク部３１の収音孔３１１を下部ユニット４２の中央孔４２３の内側に露出させた形態で、凹部４２１４の内側にある中央孔４２３の開口を封止する。そして、上部ユニット４１と下部ユニット４２を連結したアダプタ４の下部ユニット４２の挿入部４２２を、音響校正器１のソケット１１に嵌挿することにより、アダプタ４を介して小型マイクロフォン３を音響校正器１に装着する。【選択図】図７
2019122002.tif 000002
【特許請求の範囲】
【請求項１】
所定口径のマイクロフォンの先端が嵌挿される窪みを有するソケットを備え、前記ソケットの窪みに連通する内部空間に校正用の音を放射する音響校正器に、
第１面に開口が設けられた収音孔から音をピックアップするマイク部と、当該マイク部に連結されたケーブルとを備えたマイクロフォンである対象マイクロフォンを装着するためのアダプタであって、
下部ユニットと、当該下部ユニットと分離可能に組み合わされる上部ユニットとを備え、
前記下部ユニットは、
当該下部ユニットの下部部分を形成する、前記音響校正器の前記ソケットに嵌挿可能な前記所定口径の挿入部と、
前記挿入部の上部に連結された、ステージ部とを有すると共に、
前記ステージ部の上面には、前記マイク部を前記第１面を下方に向けて嵌め込むことのできる窪みである凹部と、当該凹部から前記ステージ部の上面の端まで延びた溝であるケーブル溝とが形成されており、
前記ケーブル溝は、前記凹部に嵌め込まれたマイク部から、前記ステージ部の上面の端の外側まで、当該ケーブル溝内を通って、前記ケーブルを引き出すことのできるように設けられており、
前記下部ユニットは、前記挿入部の下面からステージ部の前記凹部の上面まで上下に貫通する孔である貫通孔を有し、当該貫通孔の前記凹部の上面の開口は、前記凹部にマイク部が嵌め込まれたときに、当該マイク部の前記第１面の前記収音孔の開口と連通するように設けられており、
前記上部ユニットは、当該上部ユニットの下面が前記下部ユニットの前記ステージ部の上面上に、当該上部ユニットの下面によって前記ステージ部の上面の前記凹部を含む範囲が上方に対して覆われるように、載置された形態で、前記下部ユニットと組み合わされることを特徴とするアダプタ。
【請求項２】
請求項１記載のアダプタであって、
前記貫通孔の前記凹部の上面の開口は、前記凹部にマイク部が嵌め込まれたときに、当該マイク部によって上方に対して覆われるように設けられており、
前記凹部にマイク部を嵌め込み、前記ケーブル溝に前記ケーブルを通して、前記上部ユニットを下部ユニットに組み合わせたときに、前記上部ユニットによって前記マイク部は下方に押圧され、前記貫通孔の前記凹部の上面の開口は、前記マイク部によって封止されることを特徴とするアダプタ。
【請求項３】
請求項１記載のアダプタであって、
前記下部ユニットの前記ステージ部の上面には、前記凹部と前記ケーブル溝との組が、独立に、または、各組の前記凹部が連続した窪みを形成するように、複数設けられていることを特徴とするアダプタ。
【請求項４】
請求項３記載のアダプタであって、
当該貫通孔の前記凹部の上面の開口は、前記複数の組に対応して複数、各開口が対応する組の前記凹部にマイク部が嵌め込まれたときに、当該マイク部の前記第１面の前記収音孔の開口と連通すると共に、当該マイク部によって上方に対して覆われるように設けられており、
前記各組の前記凹部にマイク部を嵌め込み、前記各組の前記ケーブル溝に前記ケーブルを通して、前記上部ユニットを下部ユニットに組み合わせたときに、前記上部ユニットによって前記各組の前記凹部に嵌め込んだ前記マイク部は下方に押圧され、当該組に対応する前記貫通孔の前記凹部の上面の開口は、前記マイク部によって封止されることを特徴とするアダプタ。
【請求項５】
所定口径のマイクロフォンの先端が嵌挿される窪みを有するソケットを備え、前記ソケットの窪みに連通する内部空間に校正用の音を放射する音響校正器に、
第１面に開口が設けられた収音孔から音をピックアップするマイク部と、当該マイク部に連結されたケーブルとを備えたマイクロフォンである対象マイクロフォンを装着するためのアダプタであって、
下部ユニットと、当該下部ユニットと分離可能に組み合わされる上部ユニットとを備え、
前記下部ユニットは、
当該下部ユニットの下部部分を形成する、前記音響校正器の前記ソケットに嵌挿可能な前記所定口径の挿入部と、
前記挿入部の上部に連結された、ステージ部とを有し、
前記上部ユニットは、当該上部ユニットの下面が、前記下部ユニットの前記ステージ部の上面上に載置された形態で、前記下部ユニットと組み合わされ、
前記下部ユニットの挿入部は、下端に開口を有する上端まで延びた中空である挿入部中空部を有し、
前記ステージ部は、前記挿入部中空部と連通する上下に延びた中空であるステージ部中空部を有し、
前記ステージ部の上面には、前記マイク部を、前記第１面が前記ステージ部中空部の方向に向き、前記第１面が上下方向と平行となる姿勢で嵌め込むことのできる溝であるマイク溝が形成されており、
前記ステージ部は、前記マイク溝の所定位置に前記姿勢でマイク部が嵌め込まれ、前記上部ユニットと前記下部ユニットが連結されたときに、当該マイク部の前記第１面の前記収音孔の開口と前記ステージ部中空部との間の空間を形成するように設けられたステージ部の上面に形成された溝、または、ステージ部の上面下に形成された孔である連絡空間形成構造とを有し、
前記マイク溝は、当該マイク溝に嵌め込まれたマイク部から、前記ステージ部の上面の端の外側まで、当該マイク溝内を通って、前記ケーブルを引き出すことのできるように設けられていることを特徴とするアダプタ。
【請求項６】
請求項５記載のアダプタであって、
前記下部ユニットの前記ステージ部の上面には、前記マイク溝と前記連絡空間形成構造の組が複数設けられていることとを特徴とするアダプタ。
【請求項７】
請求項１、２、３、４、５または６記載のアダプタであって、
前記マイク部の前記第１面は平面であり、前記対象マイクロフォンの前記ケーブルは、当該マイク部から前記第１面と平行に引き出されていることを特徴とするアダプタ。
【請求項８】
請求項１、２、３、４、５または６記載のアダプタであって、
前記対象マイクロフォンの前記マイク部は前記第１面と垂直な第２面を有し、
前記ケーブルは、前記マイク部の前記第２面に連結していることを特徴とするアダプタ。
【請求項９】
請求項１、２、３、４、５、６、７または８記載のアダプタと、前記音響校正器とを有することを特徴とする音響校正システム。
【発明の詳細な説明】
【技術分野】
【０００１】
本発明は、マイクロフォンの校正に用いられる音響校正器に関するものである。
【背景技術】
【０００２】
マイクロフォンの校正に用いられる音響校正器としては、円筒形状の先端部に収音部を備えたマイクロフォンの校正に用いられる音響校正器が知られている（たとえば、特許文献１、２）。
この音響校正器は、マイクロフォンの円筒形状の先端部を嵌挿するソケットを備えており、ソケットの中空部に連通している内部空間に校正用の音を放射することにより、ソケットに嵌挿されたマイクロフォンに校正用の音を収音させる。
【０００３】
また、この技術では、音響校正器のソケットの口径変換用のアダプタを用いて、円筒形状の先端部の直径が音響校正器ソケットの口径と整合しないマイクロフォンの校正を行えるようにしている。
【０００４】
ここで、このアダプタには、下部に設けた音響校正器のソケットの口径と整合する直径を有する円筒形状の挿入部と、上部に挿入部と同軸状に設けた、音響校正器のソケットの口径とは異なる口径のソケット部とが、挿入部の下端に設けた開口とソケット部の中空部が連通するように設けられており、アダプタの挿入部を音響校正器のソケットに嵌挿し、アダプタのソケット部にマイクロフォンの先端部を嵌挿することにより、音響校正器が内部空間に放射した校正用の音がアダプタを通ってマイクロフォンに収音されるようにしている。
【先行技術文献】
【特許文献】
【０００５】
【特許文献１】特開２００１-１２２０１４号公報
【特許文献２】特開２００６-３０８５６７号公報
【発明の概要】
【発明が解決しようとする課題】
【０００６】
上述したアダプタを用いる技術によれば、アダプタを用いて、音響校正器のソケットの口径と整合しない直径の円筒形状の先端部を持つマイクロフォンを、音響校正器に装着して、当該マイクロフォンの校正を行うことができる。
【０００７】
しかし、このアダプタは、音響校正器のソケットの口径の変換のみを行うものであるため、このアダプタによっては、収音部の周囲にソケットに安定的に嵌挿できる構造がないマイクロフォンを、マイクロフォンの円筒形状の先端を嵌挿するソケットを備えた音響校正器に装着して、その校正を行うことはできない。
【０００８】
そこで、本発明は、音響校正器のマイクロフォンの円筒形状の先端を嵌挿するソケットに、収音部の周囲にソケットに安定的に嵌挿できる構造がないマイクロフォンを装着できるアダプタを提供することを課題とする。
【課題を解決するための手段】
【０００９】
前記課題達成のために、本発明は、所定口径のマイクロフォンの先端が嵌挿される窪みを有するソケットを備え、前記ソケットの窪みに連通する内部空間に校正用の音を放射する音響校正器に、第１面に開口が設けられた収音孔から音をピックアップするマイク部と、当該マイク部に連結されたケーブルとを備えたマイクロフォンである対象マイクロフォンを装着するためのアダプタを、下部ユニットと、当該下部ユニットと分離可能に組み合わされる上部ユニットとを含めて構成したものである。ここで、前記下部ユニットは、当該下部ユニットの下部部分を形成する、前記音響校正器の前記ソケットに嵌挿可能な前記所定口径の挿入部と、前記挿入部の上部に連結された、ステージ部とを有する。また、前記ステージ部の上面には、前記マイク部を前記第１面を下方に向けて嵌め込むことのできる窪みである凹部と、当該凹部から前記ステージ部の上面の端まで延びた溝であるケーブル溝とが形成されており、前記ケーブル溝は、前記凹部に嵌め込まれたマイク部から、前記ステージ部の上面の端の外側まで、当該ケーブル溝内を通って、前記ケーブルを引き出すことのできるように設けられている。前記下部ユニットは、前記挿入部の下面からステージ部の前記凹部の上面まで上下に貫通する孔である貫通孔を有し、当該貫通孔の前記凹部の上面の開口は、前記凹部にマイク部が嵌め込まれたときに、当該マイク部の前記第１面の前記収音孔の開口と連通するように設けられている。そして、前記上部ユニットは、当該上部ユニットの下面が前記下部ユニットの前記ステージ部の上面上に、当該上部ユニットの下面によって前記ステージ部の上面の前記凹部を含む範囲が上方に対して覆われるように載置された形態で、前記下部ユニットと組み合わされる。
【００１０】
このようなアダプタによれば、下部ユニットの挿入部を音響校正器のソケットに嵌挿することにより、音響校正器において内部空間に放射された校正用の音は、下部ユニットの貫通孔を通って、対象マイクロフォンの収音孔に伝達される。よって、収音孔の周囲にソケットに安定的に嵌挿できる構造がないマイクロフォンについても、アダプタの上部ユニットと下部ユニットで挟持した形態で、音響校正器に装着して、その校正を行う事ができる。
【００１１】
ここで、このアダプタは、前記貫通孔の前記凹部の上面の開口を、前記凹部にマイク部が嵌め込まれたときに、当該マイク部によって上方に対して覆われるように設け、前記凹部にマイク部を嵌め込み、前記ケーブル溝に前記ケーブルを通して、前記上部ユニットを下部ユニットに組み合わせたときに、前記上部ユニットによって前記マイク部は下方に押圧され、前記貫通孔の前記凹部の上面の開口は、前記マイク部によって封止されるようにしてもよい。
【００１２】
このようにすることで、校正用の音が外部に漏れ出したり、外部の騒音がマイクロフォンによって収音されてしまうことを抑制できる。
また、以上のアダプタは、前記下部ユニットの前記ステージ部の上面に、前記凹部と前記ケーブル溝との組が、独立に、または、各組の前記凹部が連続した窪みを形成するように、複数設けるようにしてもよい。
【００１３】
また、この場合、当該貫通孔の前記凹部の上面の開口を、前記複数の組に対応して複数、各開口が対応する組の前記凹部にマイク部が嵌め込まれたときに、当該マイク部の前記第１面の前記収音孔の開口と連通すると共に、当該マイク部によって上方に対して覆われるように設け、前記各組の前記凹部にマイク部を嵌め込み、前記各組の前記ケーブル溝に前記ケーブルを通して、前記上部ユニットを下部ユニットに組み合わせたときに、前記上部ユニットによって前記各組の前記凹部に嵌め込んだ前記マイク部は下方に押圧され、当該組に対応する前記貫通孔の前記凹部の上面の開口は、前記マイク部によって封止されるようにしてもよい。
【００１４】
このようにすることで、複数の対象マイクロフォンを同時に音響校正器に装着して、その校正を行うことができる。
また、前記課題達成のために、本発明は、所定口径のマイクロフォンの先端が嵌挿される窪みを有するソケットを備え、前記ソケットの窪みに連通する内部空間に校正用の音を放射する音響校正器に、第１面に開口が設けられた収音孔から音をピックアップするマイク部と、当該マイク部に連結されたケーブルとを備えたマイクロフォンである対象マイクロフォンを装着するためのアダプタを、下部ユニットと、当該下部ユニットと分離可能に組み合わされる上部ユニットとを含めて構成したものである。ここで、前記下部ユニットは、当該下部ユニットの下部部分を形成する、前記音響校正器の前記ソケットに嵌挿可能な前記所定口径の挿入部と、前記挿入部の上部に連結された、ステージ部とを備えている。また、前記上部ユニットは、当該上部ユニットの下面が、前記下部ユニットの前記ステージ部の上面上に載置された形態で、前記下部ユニットと組み合わされるものである。また、前記下部ユニットの挿入部は、下端に開口を有する上端まで延びた中空である挿入部中空部を有し、前記ステージ部は、前記挿入部の中空部と連通する上下に延びた中空であるステージ部中空部を有する。そして、前記ステージ部の上面には、前記マイク部を、前記第１面が前記ステージ部中空部の方向に向き、前記第１面が上下方向と平行となる姿勢で嵌め込むことのできる溝であるマイク溝が形成されており、前記ステージ部は、前記マイク溝の所定位置に前記姿勢でマイク部が嵌め込まれ、前記上部ユニットと前記下部ユニットが連結されたときに、当該マイク部の前記第１面の前記収音孔の開口と前記ステージ部中空部との間の空間を形成するように設けられたステージ部の上面に形成された溝、または、ステージ部の上面下に形成された孔である連絡空間形成構造を有する。また、前記マイク溝は、当該マイク溝に嵌め込まれたマイク部から、前記ステージ部の上面の端の外側まで、当該マイク溝内を通って、前記ケーブルを引き出すことのできるように設けられている。
【００１５】
このようなアダプタによれば、下部ユニットの挿入部を音響校正器のソケットに嵌挿することにより、音響校正器において内部空間に放射された校正用の音は、下部ユニットの挿入部中空部、ステージ部中空部、連絡空間形成構造が形成する空間を通って、対象マイクロフォンの収音孔に伝達される。よって、収音孔の周囲にソケットに安定的に嵌挿できる構造がないマイクロフォンについても、アダプタの上部ユニットと下部ユニットで挟持した形態で、音響校正器に装着して、その校正を行う事ができるようになる。
【００１６】
ここで、このアダプタの前記下部ユニットの前記ステージ部の上面には、前記マイク溝と前記連絡空間形成構造の組を複数設けるようにしてもよい。
このようにすることにより、複数の対象マイクロフォンを同時に音響校正器に装着して、その校正を行うことができるようになる。
また、以上のアダプタは、前記マイク部の前記第１面を平面とし、前記対象マイクロフォンの前記ケーブルを、当該マイク部から前記第１面と平行に引き出されているものしてもよい。
また、以上のアダプタは、前記対象マイクロフォンの前記マイク部を前記第１面と垂直な第２面を有するものとし、前記ケーブルを、前記マイク部の前記第２面に連結しているものとしてもよい。
また、本発明は、併せて、以上のアダプタと、前記音響校正器とを含んで校正される音響校正システムを提供する。
【発明の効果】
【００１７】
以上のように、本発明によれば、音響校正器のマイクロフォンの円筒形状の先端を嵌挿するソケットに、収音部の周囲にソケットと安定的に嵌挿できる構造がないマイクロフォンを装着できるアダプタを提供することができる。
【図面の簡単な説明】
【００１８】
【図１】本発明の実施形態に係る音響校正器を示す図である。
【図２】本発明の実施形態に係る円筒形状のマイクロフォンと、その校正のようすを示す図である。
【図３】本発明の実施形態に係る小型マイクロフォンを示す図である。
【図４】本発明の実施形態に係るアダプタと、その使用法を示す図である。
【図５】本発明の実施形態に係るアダプタの上部ユニットを示す図である。
【図６】本発明の実施形態に係るアダプタの下部ユニットを示す図である。
【図７】本発明の実施形態に係るアダプタを音響校正器に装着したようすを示す図である。
【図８】本発明の実施形態に係るアダプタの他の例を示す図である。
【図９】本発明の実施形態に係るアダプタの他の例を示す図である。
【発明を実施するための形態】
【００１９】
以下、本発明の実施形態について説明する。
図１ａに、本実施形態に係る音響校正器を示す。
ここで、図１ａ１は、音響校正器１を斜視したようすを表し、図１ａ２は音響校正器１の上面を表し、図１ａ３は音響校正器１の前面を表し、図１ａ４は音響校正器１の下面を表し、図１ａ５は音響校正器１の右側面を表す。なお、音響校正器１の後面は前面と同様に、音響校正器１の左側面は右側面と同様に表れる。
【００２０】
図示するように、音響校正器１は、おおよそ直方体の形状を有し、音響校正器１の上面には円形の開口を有するソケット１１が設けられている。
音響校正器１の上部を部分的に断面にした図１ｂで示すように、ソケット１１は、円筒が嵌まり込む形状の窪み１１１を形成しており、窪み１１１の下面の中央部分には、音響校正器１の内部空間１２に連通する孔が設けられている。また、ソケット１１の内周には、Oリング１４が配置されている。そして、内部空間１２には、その下方に配置したスピーカ１３によって校正用の音が放射される。
【００２１】
ここで、このような音響校正器１には、図２ａに示すような先端部が所定直径（たとえば、１／２インチ）の円筒形状を有すマイクロフォン２を直接装着して、その校正を行うことができる。
【００２２】
ここで、図２ａ１は円筒形状を有すマイクロフォン２を斜視したようすを表し、図２ａ２は円筒形状を有すマイクロフォン２の前面を表し、図２ａ３は円筒形状を有すマイクロフォン２の側面を表し、図２ａ４は円筒形状を有すマイクロフォン２の後面を表す。
【００２３】
ここで、このマイクロフォン２は、前端の円筒形状の直径が音響校正器１のソケット１１の口径と整合する直径を備えている。また、このマイクロフォン２は、前面から音を収音する。
【００２４】
さて、図２ｂに示すように、この円筒形状を有するマイクロフォン２は、音響校正器１のソケット１１に前端を嵌挿することによりに音響校正器１に装着される。
そして、この状態で、音響校正器１のスピーカ１３から音響校正器１の内部空間１２に放射された校正用の音は、内部空間１２、ソケット１１の窪みの下面の孔を通って、マイクロフォン２の前面に伝搬し、マイクロフォン２によって収音される。
【００２５】
以下、このような音響校正器１に、音響校正器１のソケット１１と整合しないマイクロフォンを装着するために用いるアダプタについて説明する。
まず、図３に、アダプタによって、音響校正器１に装着するマイクロフォンである小型マイクロフォン３を示す。
ここで、図３ａは小型マイクロフォン３の前面を表し、図３ｂは小型マイクロフォン３の上面を表し、図３ｃは小型マイクロフォン３の側面を表し、図３ｄは小型マイクロフォン３の下面を表している。
【００２６】
図示するように、小型マイクロフォン３は、直方体のマイク部３１の後部にケーブル３２を連結したものであり、マイク部３１の大きさが、図２に示したマイクロフォン２に比べて小さい小型のマイクロフォンである。
また、直方体のマイク部３１の下面の、左右方向について中央、前後方向について、やや前方よりの位置には収音孔３１１が設けられており、小型マイクロフォン３は、収音孔３１１から取り込んだ音を収音する。
なお、マイク部３１の直方体形状は、弾性のある樹脂によるモールド成形で形成されたものであってよい。
【００２７】
アダプタ４は、図４ａに示すように、分離可能な上部ユニット４１と下部ユニット４２よりなる。
そして、アダプタ４を用いた小型マイクロフォン３の音響校正器１への装着は、図４ｂに示すように、下部ユニット４２の上に小型マイクロフォン３を載せ置いた状態で、上部ユニット４１を下部ユニット４２の上部に重ねて一体化した上で、図４ｃに示すように、下部ユニット４２を音響校正器１のソケット１１に嵌挿することにより行われる。
【００２８】
以下、アダプタ４の詳細について説明する。
図５に、アダプタ４の上部ユニット４１の構成を示す。
図５ａは上部ユニット４１の上面を表し、図５ｂは上部ユニット４１の側面を表し、図５ｃは上部ユニット４１の下面を表している。また、図５ｄは、図５ｂの断面線A-Aによる上部ユニット４１の断面を表し、図５ｅは、図５ｂの断面線B-Bによる上部ユニット４１の断面を表している。
【００２９】
図示するように、上部ユニット４１は、上部ユニット４１の上方部分を構成する円筒形状の上部部分４１１と、上部ユニット４１の下方部分を構成する円筒形状の下部部分４１２とを有する。
【００３０】
そして、上部部分４１１の直径は、下部部分４１２の直径より大きい。
また、下部部分４１２には、外周方向に付勢され、外力が無い状態で外周面から突出し、外力に応じて外周面まで引っ込むボールを備えたボールプランジャ４１３が、等角度間隔で３箇所、下部部分４１２の上下方向についておよそ中央の位置に設けられている。
【００３１】
次に、図６に下部ユニット４２の構成を示す。
図６ａは下部ユニット４２の上面を表し、図６ｂは下部ユニット４２の側面を表し、図５ｃは下部ユニット４２の下面を表している。また、図６ｄは、図６ａの断面線A-Aによる下部ユニット４２の断面を表し、図６ｅは、図６ａの断面線B-Bによる下部ユニット４２の断面を表している。
【００３２】
図示するように、下部ユニット４２は、下部ユニット４２の上方部分を構成する、上面が開き下面が閉じた円筒形状のステージ部４２１と、下部ユニット４２の下方部分を構成する中空の円筒形状の挿入部４２２とを有する。
【００３３】
ステージ部４２１は、上面が開き下面が閉じた中空円筒の側部を形成する円環柱形状部４２１１と、上面が開き下面が閉じた中空円筒形状の底部を形成する円盤形状部４２１２とを有し、円環柱形状部４２１１の内径は、上部ユニット４１の下部部分４１２の直径より少し大きく、円環柱形状部４２１１の内側に上部ユニット４１の下部部分４１２を嵌挿できる大きさとなっている。
【００３４】
また、挿入部４２２の直径は、図２に示した円筒形状のマイクロフォン２の前端の直径に等しく、音響校正器１のソケット１１の口径と整合する大きさを備えている。
次に、ステージ部４２１の円環柱形状部４２１１の内周面には、上下方向についておよそ中央の位置に、全周に渡って外周方向に凹んだ溝４２１３が設けられている。
また、下部ユニット４２は、挿入部４２２の下面とステージ部４２１の円盤形状部４２１２の上面に開口を有する、挿入部４２２の下方の空間と円盤形状部４２１２の上方の空間を連通する中央孔４２３を備えている。
【００３５】
次に、ステージ部４２１の円盤形状部４２１２の上面には、小型マイクロフォン３のマイク部３１を嵌め込むための下方に窪んだ窪みである凹部４２１４が設けられている。ここで、凹部４２１４は、上下方向に見て凹部４２１４の内側に、中央孔４２３の円盤形状部４２１２の上面側の開口が位置するように配置されている。また、凹部４２１４は、小型マイクロフォン３のマイク部３１を下方を下側に向けて凹部４２１４に嵌め込んだときに、小型マイクロフォン３のマイク部３１の収音孔３１１が、上下方向に見て、中央孔４２３の開口の内側となる形状、配置を有している。
【００３６】
次に、ステージ部４２１の円盤形状部４２１２の上面には、凹部４２１４に嵌め込んだ小型マイクロフォン３のマイク部３１に連結されているケーブル３２を収めるための、凹部４２１４から円盤形状部４２１２の外周端まで延びた下方に窪んだ窪みのケーブル用凹部４２１５も設けられている。
【００３７】
そして、ステージ部４２１の円環柱形状部４２１１には、ケーブル用凹部４２１５から円環柱形状部４２１１の外側に、小型マイクロフォン３のケーブル３２を引き出すための切欠４２１６が設けられている。
【００３８】
このようなアダプタ４によれば、図７ａに示すように、下部ユニット４２のステージ部４２１の円盤形状部４２１２の上面の凹部４２１４に小型マイクロフォン３のマイク部３１を収音孔３１１がある下面を下方に向けて嵌め込みし、ケーブル用凹部４２１５に小型マイクロフォン３のケーブル３２を載置し、図７ｂに示すように、下部ユニット４２のステージ部４２１の円環柱形状部４２１１の内側に、上部ユニット４１の下部部分４１２を上方より挿入すると、上部ユニット４１の下部部分４１２のボールプランジャ４１３のボールが、下部ユニット４２のステージ部４２１の円環柱形状部４２１１の内周に設けられた溝４２１３に嵌まり込み、上部ユニット４１と下部ユニット４２が連結される。
【００３９】
そして、上部ユニット４１と下部ユニット４２が連結された状態で、ステージ部４２１の凹部４２１４に載置されたマイク部３１は、その上面が上部ユニット４１の下部部分４１２の下面と当接して、上部ユニット４１により、ステージ部４２１の凹部４２１４の上面上に押圧され、マイク部３１の収音孔３１１を中央孔４２３の内側に露出させた形態で、凹部４２１４の内側にある中央孔４２３の開口を封止する。また、この状態において、マイク部３１の収音孔３１１は、マイク部３１の下面とステージ部４２１の凹部４２１４の上面との当接により、中央孔４２３以外の空間から遮断される。
【００４０】
そして、図７ｂに示すように、上部ユニット４１と下部ユニット４２を連結したアダプタ４の下部ユニット４２の挿入部４２２を、音響校正器１のソケット１１に嵌挿して連結することにより、アダプタ４を介して小型マイクロフォン３は音響校正器１へ装着される。
【００４１】
この状態で、音響校正器１のスピーカ１３から音響校正器１の内部空間１２に放射された校正用の音は、内部空間１２、ソケット１１の窪みの下面の孔、アダプタ４の下部ユニット４２の中央孔４２３を通って、小型マイクロフォン３のマイク部３１の収音孔３１１に伝搬し収音される。
このとき、上述のように、マイク部３１は、中央孔４２３の開口を封止していると共に、マイク部３１の収音孔３１１は、中央孔４２３以外の空間から遮断されているので、スピーカ１３から放射された校正用の音が外部に漏れ出したり、外部の騒音がマイク部３１の収音孔３１１に伝搬し小型マイクロフォン３によって収音されてしまうことが抑制される。
【００４２】
以上、本発明の実施形態について説明した。
ところで、以上の実施形態では、アダプタ４を、一つの小型マイクロフォン３を収容して音響校正器１に装着するものとしたが、アダプタ４は、複数の小型マイクロフォン３を収容して複数の小型マイクロフォン３を同時に音響校正器１に装着するものとしてもよい。
【００４３】
すなわち、この場合には、たとえば、アダプタ４の下部ユニット４２を図８ａに示すように構成する。
図８ａ１は下部ユニット４２の上面を表し、図８ａ２は下部ユニット４２の側面を表し、図８ａ３は下部ユニット４２の下面を表している。また、図８ａ４は、図８ａ１の断面線A-Aによる下部ユニット４２の断面を表し、図８ａ５は、図８ａ１の断面線B-Bによる下部ユニット４２の断面を表している。
【００４４】
図示するように、この下部ユニット４２には、ステージ部４２１の円盤形状部４２１２の上面に、小型マイクロフォン３のマイク部３１を位置決めするための凹部４２１４と、凹部４２１４に位置決めした小型マイクロフォン３のマイク部３１に連結されているケーブル３２を収めるためのケーブル用凹部４２１５と、切欠４２１６のセットが、４セット、下部ユニット４２の軸周りに設けられている。また、中央孔４２３に連通する開口である４つの部分開口８１が、ステージ部４２１の円盤形状部４２１２の上面に表れるように、中央孔４２３のステージ部４２１の円盤形状部４２１２の上面側の開口は部分的に塞がれている。
【００４５】
４つの部分開口８１は、４つの凹部４２１４に一対一に対応して設けられており、４つの凹部４２１４と４つの部分開口８１は、小型マイクロフォン３のマイク部３１を凹部４２１４に嵌め込んだときに、上方向から見て、マイク部３１によって、対応する部分開口８１が覆われる形状、配置を有している。また、４つの凹部４２１４と４つの部分開口８１は、小型マイクロフォン３のマイク部３１を下方を下側に向けて凹部４２１４に嵌め込んだときに、小型マイクロフォン３のマイク部３１の収音孔３１１が、上下方向に見て、対応する部分開口８１の内側となる形状、配置を有している。
【００４６】
このようなアダプタ４によれば、図８ｂに示すように、下部ユニット４２のステージ部４２１の円盤形状部４２１２の上面の４つの凹部４２１４に、それぞれ、４つの小型マイクロフォン３のマイク部３１を収音孔３１１がある下面を下方を向けてはめ込み、それぞれ４つのケーブル用凹部４２１５に、それぞれ４つの小型マイクロフォン３のケーブル３２を載置し、下部ユニット４２のステージ部４２１の円環柱形状部４２１１の内側に、上部ユニット４１の下部部分４１２を上方より挿入して、上部ユニット４１と下部ユニット４２を連結し、図８ｃに示すように、上部ユニット４１と下部ユニット４２を連結したアダプタ４の下部ユニット４２の挿入部４２２を、音響校正器１のソケット１１に嵌挿して連結することにより、アダプタ４を介して４つの小型マイクロフォン３は音響校正器１へ装着される。
【００４７】
この状態で、音響校正器１のスピーカ１３から音響校正器１の内部空間１２に放射された校正用の音は、内部空間１２、ソケット１１の窪みの下面の孔、アダプタ４の下部ユニット４２の中央孔４２３、部分開口８１を通って、４つの小型マイクロフォン３のマイク部３１の収音孔３１１に伝搬し収音される。
【００４８】
また、アダプタ４を、複数の小型マイクロフォン３を収容して複数の小型マイクロフォン３を同時に音響校正器１に装着するアダプタ４とする場合には、たとえば、アダプタ４の下部ユニット４２を図９ａに示すように構成してもよい。
【００４９】
図９ａ１は下部ユニット４２の上面を表し、図９ａ２は下部ユニット４２の側面を表し、図９ａ３は下部ユニット４２の下面を表している。また、図９ａ４は、図９ａ１の断面線A-Aによる下部ユニット４２の断面を表し、図９ａ５は、図９ａ１の断面線B-Bによる下部ユニット４２の断面を表している。
【００５０】
図示するように、この下部ユニット４２は、小型マイクロフォン３のマイク部３１とケーブル３２を、マイク部３１の収音孔３１１が設けられている下面を下部ユニット４２の軸方向を向けて(マイク部３１の左側面を下方に向けて）挿入して嵌め込むための溝であるマイク用溝９１が４つ、下部ユニット４２のステージ部４２１の円盤形状部４２１２の上面に設けられている。また、マイク用溝９１に嵌め込んだ小型マイクロフォン３のケーブル３２を外部に引き出すための４つの切欠９２が、ステージ部４２１の円環柱形状部４２１１に設けられている。
【００５１】
また、円盤形状部４２１２には、４つのマイク用溝９１のそれぞれに対して設けられた、マイク用溝９１から中央孔４２３まで延びた連絡溝９３が設けられている。そして、連絡溝９３は、マイク用溝９１に小型マイクロフォン３を嵌め込んだ状態においてマイク部３１の収音孔３１１が位置する箇所でマイク用溝９１と連絡しており、マイク用溝９１と連絡溝９３の上部の開口を塞いだ状態においても、マイク用溝９１に嵌め込んだ小型マイクロフォン３のマイク部３１の収音孔３１１は連絡溝９３内の空間に対して露出する。
【００５２】
このようなアダプタ４によれば、図９ｂに示すように、下部ユニット４２のステージ部４２１の円盤形状部４２１２の上面の４つのマイク用溝９１に、それぞれ小型マイクロフォン３を、マイク部３１を収音孔３１１がある下面を下部ユニット４２の軸方向を向けた状態で嵌め込んで設置し、下部ユニット４２のステージ部４２１の円環柱形状部４２１１の内側に、上部ユニット４１の下部部分４１２を上方より挿入して、図９ｃ１、ｃ２に示すように、上部ユニット４１と下部ユニット４２を連結する。
【００５３】
ここで、図９ｃ１は図９ｂの断面線A-Aによる断面を、図９ｃ２は図９ｂの断面線B-Bによる断面を表している。
図示するように、この状態において、各小型マイクロフォン３のマイク部３１の収音孔３１１は、連絡溝９３を介して下部ユニット４２の中央孔４２３に連通している。また、マイク用溝９１と連絡溝９３の上部の開口は、上部ユニット４１の下部部分４１２の下面によって覆われ封止される。
【００５４】
そして、図９ｄに示すように、このように上部ユニット４１と下部ユニット４２を連結したアダプタ４の下部ユニット４２の挿入部４２２を、音響校正器１のソケット１１に嵌挿して連結することにより、アダプタ４を介して４つの小型マイクロフォン３は音響校正器１へ装着される。
【００５５】
この状態で、音響校正器１のスピーカ１３から音響校正器１の内部空間１２に放射された校正用の音は、内部空間１２、ソケット１１の窪みの下面の孔、アダプタ４の下部ユニット４２の中央孔４２３、連絡溝９３を通って、４つの小型マイクロフォン３のマイク部３１の収音孔３１１に伝搬し収音される。
【００５６】
なお、図９に示した下部ユニット４２には、連絡溝９３に代えて、連絡溝９３の上部の開口を閉じた連絡孔を設けるようにしてもよい。ただし、連絡孔の一方の開口は、マイク用溝９１に小型マイクロフォン３を嵌め込んだ状態においてマイク部３１の収音孔３１１と連通し、他方の開口は中央孔４２３と連通するように設ける。また、図９に示した下部ユニット４２には、中央孔４２３に代えて、中央孔４２３の上部の開口を閉じた中央中空部を設けるようにしてもよい。ただし、中央中空部は、連絡溝９３または連絡孔と連通するように設ける。
【００５７】
なお、図８、図９では、４つの小型マイクロフォン３を収容して音響校正器１に同時に装着するアダプタ４について示したが、アダプタ４が収容して音響校正器１に同時に装着する小型マイクロフォン３の個数は４つ以外の個数としてよい。
【００５８】
また、図９に示した下部ユニット４２には、マイク用溝９１と切欠９２と連絡溝９３の組みを一組だけ設け、アダプタ４を、一つの小型マイクロフォン３を収容して音響校正器１に装着するものとしてもよい。
【符号の説明】
【００５９】
１…音響校正器、２…マイクロフォン、３…小型マイクロフォン、４…アダプタ、１１…ソケット、１２…内部空間、１３…スピーカ、１４…Oリング、３１…マイク部、３２…ケーブル、４１…上部ユニット、４２…下部ユニット、８１…部分開口、９１…マイク用溝、９３…連絡溝、３１１…収音孔、４１１…上部部分、４１２…下部部分、４１３…ボールプランジャ、４２１…ステージ部、４２２…挿入部、４２３…中央孔、４２１１…円環柱形状部、４２１２…円盤形状部、４２１３…溝、４２１４…凹部、４２１５…ケーブル用凹部、４２１６…切欠。
【図１】
2019122002.tif 000003
【図２】
2019122002.tif 000004
【図３】
2019122002.tif 000005
【図４】
2019122002.tif 000006
【図５】
2019122002.tif 000007
【図６】
2019122002.tif 000008
【図７】
2019122002.tif 000009
【図８】
2019122002.tif 000010
【図９】
2019122002.tif 000011
【手続補正書】
【提出日】平成30年7月27日(2018.7.27)
【手続補正１】
【補正対象書類名】明細書
【補正対象項目名】０００５
【補正方法】変更
【補正の内容】
【０００５】
【特許文献１】特開２００１-３０４９５１号公報
【特許文献２】特開２００６-３０８５６７号公報